(57)【特許請求の範囲】
【請求項１】
前筒（１）、ペン軸（３）および後筒蓋（４）を含み、前記前筒（１）が前記ペン軸（
３）の前部に位置されるとともに前記ペン軸（３）にネジ接続されている押圧摺動型ペン
であって、
前記後筒蓋（４）が前記ペン軸（３）の後部に位置されるとともに前記ペン軸（３）に係
合接続されており、前記前筒（１）と前記ペン軸（３）の内部にペン芯が配置されており
、
さらに、前記ペン軸（３）内において前記ペン芯を軸方向に摺動させるように制御する摺
動制御部材を含み、前記ペン軸（３）前部の外壁に前記摺動制御部材を前記ペン軸（３）
内において軸方向に摺動させるように駆動する押圧部材（２）が設けられており、前記摺
動制御部材が前記押圧部材（２）前部の内壁に設置されており、前記ペン軸（３）前部の
外壁に前記押圧部材（２）を前記ペン軸（３）内に上下移動させることが可能な押圧挿穴
が開設されており、
前記押圧部材（２）後部の内壁に前記摺動制御部材に当接する推圧部材が設けられており
、前記推圧部材と前記後筒蓋（４）の間に復帰バネ（６）が設けられており、前記推圧部
材の前部に前記ペン芯を係合接続する溝部が設けられており、
前記推圧部材の内部に前記ペン軸（３）に係合接続される対称状の両係止部材が設けられ
ており、
前記ペン軸（３）後部の内壁に前記係止部材に合わせて係合接続する対称状の両限位部（
５）が設けられており、前記ペン軸（３）後部の内壁にさらに前記係止部材を前記限位部
（５）内に係入させるように駆動する案内部（７）が設けられており、
前記押圧部材（２）を押下すると、前記押圧部材（２）が前記摺動制御部材を駆動して前
記ペン軸（３）内において軸方向に後向きに摺動させて、前記摺動制御部材が前記推圧部
材を駆動して前記ペン軸（３）内において前記復帰バネ（６）を第１の状態となるまで後
向きに圧縮させるように移動させて、両前記係止部材が前記限位部（５）から離れて近づ
くようにでき、
前記押圧部材（２）を解放すると、前記復帰バネ（６）の弾力で前記推圧部材が前記摺動
制御部材を駆動して前記ペン軸（３）内において第２の状態となるまで軸方向に摺動させ
て、前記摺動制御部材が前記押圧部材（２）を駆動して元位置に復帰させて、前記案内部
（７）が両前記係止部材を駆動して分離させて再び前記限位部（５）内に係入させて、前
記ペン芯を露出させるようにでき、
前記押圧部材（２）を再び押下すると、前記押圧部材（２）が前記摺動制御部材を駆動し
て前記ペン軸（３）内において軸方向に後向きに摺動させて、前記係止部材が前記限位部
（５）から離れた後再び前記限位部（５）内に係入して、前記ペン芯を隠蔽させるように
できる、
ように構成されている、
ことを特徴とする前記押圧摺動型ペン。
【請求項２】
前記摺動制御部材は前記押圧部材（２）内に摺動自在に接続される案内滑り筒（８１）と
前記押圧部材（２）前部の内壁に固定される位置決め筒（８２）を含み、前記位置決め筒
（８２）と前記案内滑り筒（８１）はそれぞれ前記押圧部材（２）の前後両側に位置され
るとともに前記押圧部材（２）に接触しており、前記案内滑り筒（８１）と前記推圧部材
が相互に接触していることを特徴とする請求項１に記載の押圧摺動型ペン。
【請求項３】
前記押圧部材（２）は押圧ブロック（２１）と前記押圧ブロック（２１）の底端に固定設
置される少なくとも一つの限位案内ブロック（２２）を含み、前記案内滑り筒（８１）と
前記位置決め筒（８２）はいずれも前記限位案内ブロック（２２）に接触しており、前記
押圧挿穴と前記押圧ブロック（２１）が嵌合可能に構成されていることを特徴とする請求
項２に記載の押圧摺動型ペン。
【請求項４】
前記推圧部材は相互に固定接続される摺動筒（９１）と推圧筒（９２）を含み、前記摺動
筒（９１）と前記案内滑り筒（８１）が相互に接触しており、前記復帰バネ（６）が前記
推圧筒（９２）と前記後筒蓋（４）の間に位置されており、前記摺動筒（９１）前部の内
壁に接続板（９１１）が固定設置されており、前記接続板（９１１）と前記摺動筒（９１
）前部の内壁の間に溝部が形成されており、前記ペン芯が前記溝部内に係合接続されてお
り、前記摺動筒（９１）前後の両側部の外壁にそれぞれ移動用穴（９１２）が開設されて
おり、前記係止部材が前記接続板（９１１）の後部に固定設置されており、前記係止部材
の前記接続板（９１１）と反対側の端部が前記移動用穴（９１２）の外部まで延出してい
ることを特徴とする請求項２に記載の押圧摺動型ペン。
【請求項５】
前記係止部材は前記接続板（９１１）の後部に固定設置される対称状の両限位係合ブロッ
ク（９３）および前記限位係合ブロック（９３）後部の外壁に設けられる摺動面（９３４
）を含み、前記限位係合ブロック（９３）の前記接続板（９１１）と反対側の端部が前記
移動用穴（９１２）の外部に位置され、且つ前記限位部（５）に係合接続されており、両
前記限位係合ブロック（９３）の後部内にいずれも磁石柱（９３１）が固定設置されてお
り、両前記磁石柱（９３１）の対向する端部は磁極が反対であり、且つ両前記磁石柱（９
３１）間の磁気吸引力が前記復帰バネ（６）の弾力より小さいことを特徴とする請求項４
に記載の押圧摺動型ペン。
【請求項６】
前記限位部（５）は前記ペン軸（３）後部の内壁に開設される一対の第１の係合溝（５ａ
）および第２の係合溝（５ｂ）を含み、前記第１の係合溝（５ａ）の後部に第１の案内面
（５１）が設けられ、前記第２の係合溝（５ｂ）の後部に第２の案内面（５２）が設けら
れており、前記限位係合ブロック（９３）の前記接続板（９１１）と反対側の端部が前記
第１の係合溝（５ａ）内に係合接続され、前記摺動面（９３４）と第１の案内面（５１）
が相互に接触していることを特徴とする請求項５に記載の押圧摺動型ペン。
【請求項７】
前記第１の案内面（５１）の断面面積が前記第２の案内面（５２）の断面面積より大きい
ことを特徴とする請求項６に記載の押圧摺動型ペン。
【請求項８】
前記案内部（７）は前記ペン軸（３）の後部の内底壁に固定設置されるクッションブロッ
ク（７１）と前記クッションブロック（７１）に固定設置される案内柱（７２）を含み、
前記クッションブロック（７１）が前記ペン軸（３）の内底壁の中心線に位置され、且つ
前記クッションブロック（７１）と前記ペン軸（３）の内底壁との間の縦方向高さが前記
第１の係合溝（５ａ）および前記第２の係合溝（５ｂ）と前記ペン軸（３）の内底壁との
間の縦方向高さより低くて、前記案内柱（７２）が両前記限位係合ブロック（９３）の間
に位置されることを特徴とする請求項６に記載の押圧摺動型ペン。
【請求項９】
前記後筒蓋（４）の前記ペン軸（３）内に位置する表面に位置決め凸起（４１）が固定設
置されており、前記位置決め凸起（４１）が前記復帰バネ（６）の内側に位置されること
を特徴とする請求項１に記載の押圧摺動型ペン。
【発明の詳細な説明】
【技術分野】
【０００１】
本発明は文房具の分野に関するもので、具体的に押圧摺動型ペンに関する。
【背景技術】
【０００２】
学生たちや筆記類の仕事をしている方にとっては、筆記具は必要なものである。従来の
筆記具は、押圧型ペンやキャップ付ペン等が一般的である。ここで、キャップ付ペンは、
ペン軸にネジが形成され、ペン先でネジと接続されることでペン芯をペン軸内に配置する
ものである。
【０００３】
キャップ付ペンは、長期間の使用過程で大きい力が加えられることや、使用中で落下し
てしまうことなどが原因で、ペン先が破裂されることがある。それで、筆記時にペン芯が
揺れて、正常な書きに影響を及ぼす。また、知らないうちにキャップが失ったら、衣類や
紙などが、ペン芯の先端で油により汚される可能性があり、その洗浄も困難である。一方
、押圧型の筆記具は使用されるときにその後筒蓋が不意に落ちたら、内設されたバネが離
れやすく、使えなくなり、キャップを交換しなければならず、無駄となる。そして、押圧
型のペンは使用されるときにそのバネに位置ズレがあったら、押圧動作が順調に行わず、
複数回で試さなければ成功できないことがある。そして、押圧型ペンは、押圧動作により
ペン芯を露出や隠蔽する力が小いものとなっているが、カバンなどに置かれる場合に、入
れた他のものが、不可避的に押圧ペンに押すことがあり、そうでしたら、ペンの芯が容易
に露出し、ペン油で他の物を汚す。
【発明の概要】
【発明が解決しようとする課題】
【０００４】
従来の技術における上記のような課題に対して、本発明は押圧摺動型ペンを提供する。押
圧部材にて、ペン芯のペン軸内における軸方向摺動が可能となり、ひいてはペン芯の隠顕
動作が可能になる。また露出または隠蔽状態のペン芯に対する安定的固定となり、操作が
便利で、キャップを別設するスペースを不要とするとともに、小さい外力が加わると隠蔽
状態のペン芯が前筒から露出し難く、これにより、外物の衝撃からペン芯を保護できるだ
けでなく、ペン油による外物への汚染も防止できる。
【課題を解決するための手段】
【０００５】
上記の技術課題を解決するために、本発明は以下の技術解決策を採用する。
【０００６】
本発明にかかる押圧摺動型ペンは、前筒、ペン軸および後筒蓋を含み、前記前筒が前記ペ
ン軸の前部に位置されるとともに前記ペン軸にネジ接続されており、前記後筒蓋が前記ペ
ン軸の後部に位置されるとともに前記ペン軸に係合接続されており、前記前筒と前記ペン
軸の内部にペン芯が配置される。
【０００７】
さらに、前記ペン軸内において前記ペン芯を軸方向に摺動させるように制御する摺動制御
部材を含み、前記ペン軸前部の外壁に前記摺動制御部材を前記ペン軸内において軸方向に
摺動させるように駆動する押圧部材が設けられており、前記摺動制御部材が前記押圧部材
前部の内壁に設置されており、前記ペン軸前部の外壁に前記押圧部材を前記ペン軸内に上
下移動させることが可能な押圧挿穴が開設される。
【０００８】
前記押圧部材後部の内壁に前記摺動制御部材に当接する推圧部材が設けられており、前記
推圧部材と前記後筒蓋の間に復帰バネが設けられており、前記推圧部材の前部に前記ペン
芯を係合接続する溝部が設けられる。
【０００９】
前記推圧部材の内部に前記ペン軸に係合接続される対称状の両係止部材が設けられる。
【００１０】
前記ペン軸後部の内壁に前記係止部材に合わせて係合接続する対称状の両限位部が設けら
れており、前記ペン軸後部の内壁にさらに前記係止部材を前記限位部内に係入させるよう
に駆動する案内部が設けられる。
【００１１】
前記押圧部材を押下すると、前記押圧部材が前記摺動制御部材を駆動して前記ペン軸内に
おいて軸方向に後向きに摺動させて、前記摺動制御部材が前記推圧部材を駆動して前記ペ
ン軸内において前記復帰バネを第１の状態となるまで後向きに圧縮させるように移動させ
て、両前記係止部材が前記限位部から離れて近づくようにできるように構成されている。
【００１２】
前記押圧部材を解放すると、前記復帰バネの弾力で前記推圧部材が前記摺動制御部材を駆
動して前記ペン軸内において第２の状態となるまで軸方向に摺動させて、前記摺動制御部
材が前記押圧部材を駆動して元位置に復帰させて、前記案内部が両前記係止部材を駆動し
て分離させて再び前記限位部内に係入させて、前記ペン芯を露出させるようにできるよう
に構成されている。
【００１３】
前記押圧部材を再び押下すると、前記押圧部材が前記摺動制御部材を駆動して前記ペン軸
内において軸方向に後向きに摺動させて、前記係止部材が前記限位部から離れた後再び前
記限位部内に係入して、前記ペン芯を隠蔽させるようにできるように構成されている。
【００１４】
押圧部材にて、ペン芯のペン軸内における軸方向摺動が可能となり、ひいてはペン芯の隠
顕動作が可能になる。また露出または隠蔽状態のペン芯に対する安定的固定となり、操作
が便利で、キャップを別設するスペースを不要とするとともに、小さい外力が加わると隠
蔽状態のペン芯が前筒から露出し難く、これにより、外物の衝撃からペン芯を保護できる
だけでなく、ペン油による外物への汚染も防止できる。
【００１５】
好ましくは、前記摺動制御部材は前記押圧部材内に摺動自在に接続される案内滑り筒と前
記押圧部材前部の内壁に固定される位置決め筒を含み、前記位置決め筒と前記案内滑り筒
はそれぞれ前記押圧部材の前後両側に位置されるとともに前記押圧部材に接触しており、
前記案内滑り筒と前記推圧部材が相互に接触している。押圧部材を押下すると、押圧部材
が案内滑り筒を駆動してペン軸内において後向きに移動させる。これにより案内滑り筒に
連動して摺動筒がペン軸内に後向きに移動して復帰バネを圧縮させる。押圧部材を解放す
ると、復帰バネの弾力により摺動筒と案内滑り筒をペン軸内に前向きに移動させて、押圧
部材を駆動して復位させる。
【００１６】
好ましくは、前記押圧部材は押圧ブロックと前記押圧ブロックの底端に固定設置される少
なくとも一つの限位案内ブロックを含み、前記案内滑り筒と前記位置決め筒はいずれも前
記限位案内ブロックに接触しており、前記押圧挿穴と前記押圧ブロックが嵌合可能に構成
されている。限位案内ブロックを設けることにより、案内滑り筒を駆動してペン軸内にお
いて軸方向に後向きに移動させることが可能になるとともに、押圧部材を解放すると、限
位案内ブロックの位置限定機能により、押圧部材がペン軸から外へ落下し難くなる。
【００１７】
好ましくは、前記推圧部材は相互に固定接続される摺動筒と推圧筒を含み、前記摺動筒と
前記案内滑り筒が相互に接触しており、前記復帰バネが前記推圧筒と前記後筒蓋の間に位
置されており、前記摺動筒前部の内壁に接続板が固定設置されており、前記接続板と前記
摺動筒前部の内壁の間に溝部が形成されており、前記ペン芯が前記溝部内に係合接続され
ており、前記摺動筒前後の両側部の外壁にそれぞれ移動用穴が開設されており、前記係止
部材が前記接続板の後部に固定設置されており、前記係止部材の前記接続板と反対側の端
部が前記移動用穴の外部まで延出している。ペン芯を隠蔽状態を露出状態に変える場合、
押圧部材を押下して、案内滑り筒に連動して摺動筒とペン芯がペン軸内において軸方向に
後向きに移動させて、推圧筒により復帰バネを圧縮させて、それとともに限位係合ブロッ
クが徐々に第１の係合溝から脱離する。押圧部材を解放すると、復帰バネの弾力により、
摺動筒に連動してペン芯と案内滑り筒をペン軸内に軸方向に前向きに移動させて、両限位
係合ブロックが案内柱によりそれぞれ両第２の係合溝内に係入して、ペン芯を露出させる
ようになる。
【００１８】
好ましくは、前記係止部材は前記接続板の後部に固定設置される対称状の両限位係合ブロ
ックおよび前記限位係合ブロック後部の外壁に設けられる摺動面を含み、前記限位係合ブ
ロックの前記接続板と反対側の端部が前記移動用穴の外部に位置され、且つ前記限位部に
係合接続されており、両前記限位係合ブロックの後部内にいずれも磁石柱が固定設置され
ており、両前記磁石柱の対向する端部は磁極が反対であり、且つ両前記磁石柱間の磁気吸
引力が前記復帰バネの弾力より小さい。押圧部材を押下すると、両第１の案内面の案内機
能および両磁石柱間の吸附力により、両限位係合ブロックが徐々に近づく。押圧部材を解
放すると、両限位係合ブロックが摺動筒につれてペン軸内に軸方向において前向きに移動
して、両限位係合ブロックが案内柱に近づくまで移動すると、復帰バネの弾力および案内
柱の阻害により、両限位係合ブロックが分離して、案内柱の両側に沿って第２の係合溝内
に係入するまで移動する。
【００１９】
好ましくは、両前記限位係合ブロックの対向する表面の一方に位置決め溝が固定され、そ
の他方に位置決め溝が開設されており、前記位置決め溝と前記位置決め溝が相互に係合接
続されている。押下した押圧部材が案内滑り筒と摺動筒を駆動して限位係合ブロックが連
動して接続板の端部から離れて第１の係合溝から脱離して、両限位係合ブロックが相互に
近づくと、位置決めブロックと位置決め溝間の係合接続により、両限位係合ブロック間は
より密接するようになり、よって続いてペン軸内において後向きに移動することができ、
押圧部材の解放が便宜になるときには、両限位係合ブロックが第２の案内面における案内
柱寄りの端面位置を越え得るとなるまで移動可能である。
【００２０】
好ましくは、前記限位部は前記ペン軸後部の内壁に開設される一対の第１の係合溝および
第２の係合溝を含み、前記第１の係合溝の後部に第１の案内面が設けられ、前記第２の係
合溝の後部に第２の案内面が設けられており、前記限位係合ブロックの前記接続板と反対
側の端部が前記第１の係合溝内に係合接続され、前記摺動面と第１の案内面が相互に接触
している。押圧部材を押下して案内滑り筒と摺動筒に連動して限位係合ブロックが第１の
係合溝から離れて、摺動面が第１の案内面において徐々に第１の案内面から脱離するまで
摺動する。押圧部材を解放すると、復帰バネの弾力により、摺動筒に連動して限位係合ブ
ロックがペン軸内において軸方向に前向きに移動して、限位係合ブロックが接続板の端部
から離れて第２の係合溝内に係入するとともに摺動面と第２の案内面とが接触するまで移
動する。
【００２１】
好ましくは、前記第１の案内面の断面面積が前記第２の案内面の断面面積より大きい。押
圧部材を押下して案内滑り筒を駆動して推圧筒が連動してペン軸内に軸方向に後向きに移
動して限位係合ブロックにおける摺動面が第１の案内面において十分なスペースを取るま
で移動する。さらに押圧部材を解放すると、復帰バネの弾力により、限位係合ブロックに
おける摺動面の位置する部分が第２の案内面における案内柱寄りの端面を越え得て、ペン
芯を前筒から外へ露出させるようになる。
【００２２】
好ましくは、前記案内部は前記ペン軸の後部の内底壁に固定設置されるクッションブロッ
クと前記クッションブロックに固定設置される案内柱を含み、前記クッションブロックが
前記ペン軸の内底壁の中心線に位置され、且つ前記クッションブロックと前記ペン軸の内
底壁との間の縦方向高さが前記第１の係合溝および前記第２の係合溝と前記ペン軸の内底
壁との間の縦方向高さより低くて、前記案内柱が両前記限位係合ブロックの間に位置され
る。押圧部材を解放すると、復帰バネの弾力により摺動筒に連動して両限位係合ブロック
がペン軸内において軸方向に前向きに移動して、両限位係合ブロックが案内柱の阻害機能
により第２の係合溝内に係入するように分離し得て、よって前筒外へ露出したペン芯の位
置に対して固定するようになる。
【００２３】
好ましくは、前記後筒蓋の前記ペン軸内に位置する表面に位置決め凸起が固定設置されて
おり、前記位置決め凸起が前記復帰バネの内側に位置される。押圧部材を押下すると、摺
動制御部材を駆動して推圧部材が連動して復帰バネを圧縮させる過程において復帰バネが
曲がれ難く、推圧筒外へ滑り出す可能性が低いが、押圧部材を放すと、自分の弾性力によ
り復帰バネが推圧筒外へ跳び出することも難しい。これにより、ペン芯の隠顕（隠蔽およ
び露出）動作が正常に行うことができる。
【発明の効果】
【００２４】
従来の技術に比べて、本発明は以下の利点がある。
【００２５】
（１）本発明は、押圧部材にて、ペン芯のペン軸内における軸方向摺動が可能となり、ひ
いてはペン芯の隠顕動作が可能になる。また露出または隠蔽状態のペン芯に対する安定的
固定となり、操作が便利で、キャップを別設するスペースを不要とするとともに、小さい
外力が加わると隠蔽状態のペン芯が前筒から露出し難く、これにより、外物の衝撃からペ
ン芯を保護できるだけでなく、ペン油による外物への汚染も防止できる。
【００２６】
（２）摺動制御部材は押圧部材内に摺動自在に接続される案内滑り筒と押圧部材前部の内
壁に固定される位置決め筒を含み、位置決め筒と案内滑り筒はそれぞれ押圧部材の前後両
側に位置されるとともに押圧部材に接触しており、案内滑り筒と推圧部材が相互に接触す
る。押圧部材を押下すると、押圧部材が案内滑り筒を駆動してペン軸内において後向きに
移動させる。これにより案内滑り筒に連動して摺動筒がペン軸内に後向きに移動して復帰
バネを圧縮させる。押圧部材を解放すると、復帰バネの弾力により摺動筒と案内滑り筒を
ペン軸内に前向きに移動させて、押圧部材を駆動して復位させる。
【００２７】
（３）押圧部材は押圧ブロックと押圧ブロックの底端に固定設置される少なくとも一つの
限位案内ブロックを含み、案内滑り筒と位置決め筒はいずれも限位案内ブロックに接触し
ており、押圧挿穴と押圧ブロックが嵌合可能に構成されている。限位案内ブロックを設け
ることにより、案内滑り筒を駆動してペン軸内において軸方向に後向きに移動させること
が可能になるとともに、押圧部材を解放すると、限位案内ブロックの位置限定機能により
、押圧部材がペン軸から外へ落下し難くなる。
【００２８】
（４）推圧部材は相互に固定接続される摺動筒と推圧筒を含み、摺動筒と案内滑り筒が相
互に接触しており、復帰バネが推圧筒と後筒蓋の間に位置されており、摺動筒前部の内壁
に接続板が固定設置されており、接続板と摺動筒前部の内壁の間に溝部が形成されており
、ペン芯が溝部内に係合接続されており、摺動筒前後の両側部の外壁にそれぞれ移動用穴
が開設されており、係止部材が接続板の後部に固定設置されており、係止部材の接続板と
反対側の端部が移動用穴の外部まで延出している。ペン芯を隠蔽状態を露出状態に変える
場合、押圧部材を押下して、案内滑り筒に連動して摺動筒とペン芯がペン軸内において軸
方向に後向きに移動させて、推圧筒により復帰バネを圧縮させて、それとともに限位係合
ブロックが徐々に第１の係合溝から脱離する。押圧部材を解放すると、復帰バネの弾力に
より、摺動筒に連動してペン芯と案内滑り筒をペン軸内に軸方向に前向きに移動させて、
両限位係合ブロックが案内柱によりそれぞれ両第２の係合溝内に係入して、ペン芯を露出
させるようになる。
【００２９】
（５）係止部材は接続板の後部に固定設置される対称状の両限位係合ブロックおよび限位
係合ブロック後部の外壁に設けられる摺動面を含み、限位係合ブロックの接続板と反対側
の端部が移動用穴の外部に位置され、且つ限位部に係合接続されており、両限位係合ブロ
ックの後部内にいずれも磁石柱が固定設置されており、両磁石柱の対向する端部は磁極が
反対であり、且つ両磁石柱間の磁気吸引力が復帰バネの弾力より小さい。押圧部材を押下
すると、両第１の案内面の案内機能および両磁石柱間の吸附力により、両限位係合ブロッ
クが徐々に近づく。押圧部材を解放すると、両限位係合ブロックが摺動筒につれてペン軸
内に軸方向において前向きに移動して、両限位係合ブロックが案内柱に近づくまで移動す
ると、復帰バネの弾力および案内柱の阻害により、両限位係合ブロックが分離して、案内
柱の両側に沿って第２の係合溝内に係入するまで移動する。
【００３０】
（６）両限位係合ブロックの対向する表面の一方に位置決め溝が固定され、その他方に位
置決め溝が開設されており、位置決め溝と位置決め溝が相互に係合接続されている。押下
した押圧部材が案内滑り筒と摺動筒を駆動して限位係合ブロックが連動して接続板の端部
から離れて第１の係合溝から脱離して、両限位係合ブロックが相互に近づくと、位置決め
ブロックと位置決め溝間の係合接続により、両限位係合ブロック間はより密接するように
なり、よって続いてペン軸内において後向きに移動することができ、押圧部材の解放が便
宜になるときには、両限位係合ブロックが第２の案内面における案内柱寄りの端面位置を
越え得るとなるまで移動可能である。
【００３１】
（７）限位部はペン軸後部の内壁に開設される一対の第１の係合溝および第２の係合溝を
含み、第１の係合溝の後部に第１の案内面が設けられ、第２の係合溝の後部に第２の案内
面が設けられており、限位係合ブロックの接続板と反対側の端部が第１の係合溝内に係合
接続され、摺動面と第１の案内面が相互に接触している。押圧部材を押下して案内滑り筒
と摺動筒に連動して限位係合ブロックが第１の係合溝から離れて、摺動面が第１の案内面
において徐々に第１の案内面から脱離するまで摺動する。押圧部材を解放すると、復帰バ
ネの弾力により、摺動筒に連動して限位係合ブロックがペン軸内において軸方向に前向き
に移動して、限位係合ブロックが接続板の端部から離れて第２の係合溝内に係入するとと
もに摺動面と第２の案内面とが接触するまで移動する。
【００３２】
（８）第１の案内面の断面面積が第２の案内面の断面面積より大きい。押圧部材を押下し
て案内滑り筒を駆動して推圧筒が連動してペン軸内に軸方向に後向きに移動して限位係合
ブロックにおける摺動面が第１の案内面において十分なスペースを取るまで移動する。さ
らに押圧部材を解放すると、復帰バネの弾力により、限位係合ブロックにおける摺動面の
位置する部分が第２の案内面における案内柱寄りの端面を越え得て、ペン芯を前筒から外
へ露出させるようになる。
【００３３】
（９）案内部はペン軸の後部の内底壁に固定設置されるクッションブロックとクッション
ブロックに固定設置される案内柱を含み、クッションブロックがペン軸の内底壁の中心線
に位置され、且つクッションブロックとペン軸の内底壁との間の縦方向高さが第１の係合
溝および第２の係合溝とペン軸の内底壁との間の縦方向高さより低くて、案内柱が両限位
係合ブロックの間に位置される。押圧部材を解放すると、復帰バネの弾力により摺動筒に
連動して両限位係合ブロックがペン軸内において軸方向に前向きに移動して、両限位係合
ブロックが案内柱の阻害機能により第２の係合溝内に係入するように分離し得て、よって
前筒外へ露出したペン芯の位置に対して固定するようになる。
【００３４】
（１０）後筒蓋のペン軸内に位置する表面に位置決め凸起が固定設置されており、位置決
め凸起が復帰バネの内側に位置される。押圧部材を押下すると、摺動制御部材を駆動して
推圧部材が連動して復帰バネを圧縮させる過程において復帰バネが曲がれ難く、推圧筒外
へ滑り出す可能性が低いが、押圧部材を放すと、自分の弾性力により復帰バネが推圧筒外
へ跳び出することも難しい。これにより、ペン芯の隠顕（隠蔽および露出）動作が正常に
行うことができる。
【図面の簡単な説明】
【００３５】
【図１】本発明の斜視構成模式図である。
【図２】図２は本発明の断面構成模式図である。
【図３】図３は本発明の限位部、案内部および摺動制御部材の断面構成模式図である。
【図４】図４は本発明の横方向に沿う断面構成模式図である。
【図５】図５〜図４のＡにおける構成模式図である。
【図６】図６は本発明の推圧部材部分の斜視構成模式図である。
【図７】図７は本発明の推圧部材部分の横方向に沿う断面構成模式図である。
【図８】図８は本発明の限位部部分の横方向に沿う断面構成模式図である。
【図９】図９は本発明の押圧部材部分の構成模式図である。
【図１０】図１０は本発明の案内滑り筒の斜視構成模式図である。
【発明を実施するための形態】
【００３６】
以下、本発明実施例における図面を参考しながら、本発明実施例にかかる技術案を明確的
且つ十分的に説明する。
【００３７】
図１〜１０に示されるように、押圧摺動型ペンは、前筒１、ペン軸３および後筒蓋４を含
み、前筒１が前記ペン軸３の前部に位置されるとともにペン軸３にネジ接続され、ペン軸
３の後部の外壁にペンクランプが固定設置される。後筒蓋４がペン軸３の後部に位置され
るとともにペン軸３に係合接続される。後筒蓋４のペン軸３内に位置する表面に位置決め
凸起４１が固定設置されており、位置決め凸起４１が復帰バネ６の内側に位置される。押
圧部材２を押下すると、摺動制御部材を駆動して推圧部材が連動して復帰バネ６を圧縮さ
せる過程において復帰バネ６が曲がれ難く、推圧筒９２外へ滑り出す可能性が低いが、押
圧部材２を放すと、自分の弾性力により復帰バネ６が推圧筒９２外へ跳び出することも難
しい。これにより、ペン芯の隠顕動作が正常に行うことができる。前筒１とペン軸３の内
部にペン芯が配置される。
【００３８】
図３と図１０に示されるように、ペン軸３内においてペン芯を軸方向に摺動させるように
制御する摺動制御部材を含み、摺動制御部材が押圧部材２前部の内壁に設置される。摺動
制御部材は押圧部材２内に摺動自在に接続される案内滑り筒８１と押圧部材２前部の内壁
に固定される位置決め筒８２を含み、位置決め筒８２と案内滑り筒８１はそれぞれ押圧部
材２の前後両側に位置されるとともに押圧部材２に接触しており、案内滑り筒８１と推圧
部材が相互に接触する。押圧部材２を押下すると、押圧部材２が案内滑り筒８１を駆動し
てペン軸３内において後向きに移動させる。これにより案内滑り筒９１に連動して摺動筒
がペン軸３内に後向きに移動して復帰バネ６を圧縮させる。押圧部材２を解放すると、復
帰バネ６の弾力により摺動筒９１と案内滑り筒８１をペン軸３内に前向きに移動させて、
押圧部材２を駆動して復位させる。
【００３９】
図３と図９に示されるように、ペン軸３前部の外壁に摺動制御部材をペン軸３内において
軸方向に摺動させるように駆動する押圧部材２が設けられており、ペン軸３前部の外壁に
押圧部材２をペン軸３内に上下移動させることが可能な押圧挿穴が開設される。押圧部材
２は押圧ブロック２１と押圧ブロック２１の底端に固定設置される少なくとも一つの限位
案内ブロック２２を含み、案内滑り筒８１と位置決め筒８２はいずれも限位案内ブロック
２２に接触しており、押圧挿穴と押圧ブロック２１が嵌合可能に構成される。限位案内ブ
ロック２２を設けることにより、案内滑り筒８１を駆動してペン軸３内において軸方向に
後向きに移動させることが可能になるとともに、押圧部材２を解放すると、限位案内ブロ
ック２２の位置限定機能により、押圧部材２がペン軸３から外へ落下し難くなる。
【００４０】
本実施例では、位置決め筒８２が前筒１内側に固定される。好ましくは、前筒１の内壁と
一体的に形成されてもよく、前筒１と位置決め筒８２とは一つのものとする。
【００４１】
図２、図６と図７に示されるように、押圧部材２後部の内壁に摺動制御部材に当接する推
圧部材が設けられており、推圧部材と後筒蓋４の間に復帰バネ６が設けられており、推圧
部材の前部にペン芯を係合接続する溝部が設けられる。推圧部材は相互に固定接続される
摺動筒９１と推圧筒９２を含み、摺動筒９１と案内滑り筒８１が相互に接触しており、復
帰バネ６が推圧筒９２と後筒蓋４の間に位置されており、摺動筒９１前部の内壁に接続板
９１１が固定設置されており、接続板９１１と摺動筒９１前部の内壁の間に溝部が形成さ
れており、ペン芯が溝部内に係合接続されており、摺動筒９１前後の両側部の外壁にそれ
ぞれ移動用穴９１２が開設されており、係止部材が接続板９１１の後部に固定設置されて
おり、係止部材の接続板９１１と反対側の一端が移動用穴９１２の外部まで延出している
。ペン芯を隠蔽状態を露出状態に変える場合、押圧部材２を押下して、案内滑り筒８１に
連動して摺動筒９１とペン芯がペン軸３内において軸方向に後向きに移動させて、推圧筒
９２により復帰バネ６を圧縮させて、それとともに限位係合ブロック９３が徐々に第１の
係合溝５ａから脱離する。押圧部材２を解放すると、復帰バネ６の弾力により、摺動筒９
１に連動してペン芯と案内滑り筒８１をペン軸３内に軸方向に前向きに移動させて、両限
位係合ブロック９３が案内柱７２によりそれぞれ両第２の係合溝内５ｂに係入して、ペン
芯を露出させるようになる。
【００４２】
図６〜７に示されるように、推圧部材の内部にペン軸３に係合接続される対称状の両係止
部材が設けられており、係止部材は接続板９１１の後部に固定設置される対称状の両限位
係合ブロック９３および限位係合ブロック９３後部の外壁に設けられる摺動面９３４を含
み、限位係合ブロック９３の接続板９１１と反対側の一端が移動用穴９１２の外部に位置
され、且つ限位部５に係合接続されており、両限位係合ブロック９３の後部内にいずれも
磁石柱９３１が固定設置されており、両磁石柱９３１の対向する端部は磁極が反対であり
、且つ両磁石柱９３１間の磁気吸引力が復帰バネ６の弾力より小さい。押圧部材２を押下
すると、両第１の案内面５１の案内機能および両磁石柱９３１間の吸附力により、両限位
係合ブロック９３が徐々に近づく。押圧部材２を解放すると、両限位係合ブロック９３が
摺動筒９１につれてペン軸３内に軸方向において前向きに移動して、両限位係合ブロック
９３が案内柱７２に近づくまで移動すると、復帰バネ６の弾力および案内柱の阻害により
、両限位係合ブロック９３が分離して、案内柱７２の両側に沿って第２の係合溝５ｂ内に
係入するまで移動する。
【００４３】
図７に示されるように、両限位係合ブロック９３の対向する表面の一方に位置決め溝９３
３が固定され、その他方に位置決め溝９３２が開設されており、位置決め溝９３３と位置
決め溝９３２が相互に係合接続されている。押下した押圧部材２が案内滑り筒８１と摺動
筒９１を駆動して限位係合ブロック９３が連動して接続板９１１の端部から離れて第１の
係合溝５ａから脱離して、両限位係合ブロック９３が相互に近づくと、位置決めブロック
９３３と位置決め溝９３２間の係合接続により、両限位係合ブロック９３間はより密接す
るようになり、よって続いてペン軸３内において後向きに移動することができ、押圧部材
２の解放が便宜になるときには、両限位係合ブロック９３が第２の案内面５２における案
内柱７２寄りの端面位置を越え得るとなるまで移動可能である。
【００４４】
図８に示されるように、ペン軸３後部の内壁に係止部材に合わせて係合接続する対称状の
両限位部５が設けられる。限位部５はペン軸３後部の内壁に開設される一対の第１の係合
溝５ａおよび第２の係合溝５ｂを含み、第１の係合溝５ａの後部に第１の案内面５１が設
けられ、第２の係合溝５ｂの後部に第２の案内面５２が設けられており、限位係合ブロッ
ク９３の接続板９１１と反対側の端部が第１の係合溝５ａ内に係合接続され、摺動面９３
４と第１の案内面５１が相互に接触している。
【００４５】
押圧部材２を押下して案内滑り筒８１と摺動筒９１に連動して限位係合ブロック９３が第
１の係合溝５ａから離れて、摺動面９３４が第１の案内面５１において徐々に第１の案内
面５１から脱離するまで摺動する。押圧部材２を解放すると、復帰バネ６の弾力により、
摺動筒９１に連動して限位係合ブロック９３がペン軸３内において軸方向に前向きに移動
して、限位係合ブロック９３が接続板９１１の端部から離れて第２の係合溝５ｂ内に係入
するとともに摺動面９３４と第２の案内面５２とが接触するまで移動する。
【００４６】
第１の案内面５１の断面面積が第２の案内面５２の断面面積より大きい。押圧部材２を押
下して案内滑り筒８１を駆動して推圧筒９２が連動してペン軸３内に軸方向に後向きに移
動して限位係合ブロック９３における摺動面９３４が第１の案内面５１において十分なス
ペースを取るまで移動する。さらに押圧部材２を解放すると、復帰バネ６の弾力により、
限位係合ブロック９３における摺動面９３４の位置する部分が第２の案内面５２における
案内柱７２寄りの端面を越え得て、ペン芯を前筒１から外へ露出させるようになる。
【００４７】
図８に示されるように、ペン軸３後部の内壁にさらに係止部材を限位部５内に係入させる
ように駆動する案内部７が設けられており、案内部７はペン軸３の後部の内底壁に固定設
置されるクッションブロック７１とクッションブロック７１に固定設置される案内柱７２
を含み、クッションブロック７１がペン軸３の内底壁の中心線に位置され、且つクッショ
ンブロック７１とペン軸３の内底壁との間の縦方向高さが第１の係合溝５ａおよび第２の
係合溝５ｂとペン軸３の内底壁との間の縦方向高さより低くて、案内柱７２が両限位係合
ブロック９３の間に位置される。押圧部材２を解放すると、復帰バネ６の弾力により摺動
筒９１に連動して両限位係合ブロック９３がペン軸３内において軸方向に前向きに移動し
て、両限位係合ブロック９３が案内柱７２の阻害機能により第２の係合溝５ｂ内に係入す
るように分離し得て、よって前筒外へ露出したペン芯の位置に対して固定するようになる
。
【００４８】
押圧部材２を押下すると、押圧部材２が摺動制御部材を駆動してペン軸３内において軸方
向に後向きに摺動させて、摺動制御部材が推圧部材を駆動してペン軸３内において復帰バ
ネ６を第１の状態となるまで後向きに圧縮させるように移動させて、すなわち、押圧部材
２が案内滑り筒８１を駆動して摺動筒９１が連動してペン軸３内において軸方向に後向き
に移動して復帰バネ６を圧縮させて、両係止部材が限位部５から離れて近づき、すなわち
、限位係合ブロック９３の接続板９１１と反対側の端部が徐々に第１の係合溝５ａから脱
離する。
【００４９】
押圧部材２を解放すると、復帰バネ６の弾力で推圧部材が摺動制御部材を駆動してペン軸
３内において第２の状態となるまで軸方向に摺動させて、摺動制御部材が押圧部材２を駆
動して元位置に復帰させて、すなわち、復帰バネ６の弾力で摺動筒９１に連動して案内滑
り筒８１がペン軸３内において前向きに移動して、これにより案内滑り筒８１が駆動押圧
部材２駆動してペン軸３内において上方向に移動して復位する。案内部７が両係止部材を
駆動して分離させて再び限位部５内に係入させて、ペン芯を露出させ、すなわち、両限位
係合ブロック９３が案内柱７２に近づくまで移動すると、案内柱７２の阻害により、両限
位係合ブロック９３が分離して、第２の係合溝５ｂ内に係入するまで移動する。
【００５０】
押圧部材２を再び押下すると、押圧部材２が摺動制御部材を駆動してペン軸３内において
軸方向に後向きに摺動させて、係止部材が限位部５から離れた後再び限位部５内に係入し
て、すなわち、押圧部材２が案内滑り筒８１と摺動筒９１を駆動してペン軸３内において
後向きに移動して、摺動筒９１に連動して限位係合ブロック９３が徐々に第２の係合溝５
ｂから脱離して第１の係合溝５ａ内に係入して、ペン芯を隠蔽させる。
【００５１】
押圧部材２にて、ペン芯のペン軸３内における軸方向摺動が可能となり、ひいてはペン芯
の隠顕動作が可能になる。また露出または隠蔽状態のペン芯に対する安定的固定となり、
操作が便利で、キャップを別設するスペースを不要とするとともに、小さい外力が加わる
と隠蔽状態のペン芯が前筒１から露出し難く、これにより、外物の衝撃からペン芯を保護
できるだけでなく、ペン油による外物への汚染も防止できる。
【００５２】
以上に述べたのは、単に本発明の好ましい具体的な実施例であり、本発明の保護範囲の制
限としてはならない。
【符号の説明】
【００５３】
１      前筒
２      押圧部材
２１    押圧ブロック
２２    限位案内ブロック
３      ペン軸
４      後筒蓋
４１    位置決め凸起
５      限位部
５ａ    第１の係合溝
５ｂ    第２の係合溝
５１    第１の案内面
５２    第２の案内面
６      復帰バネ
７      案内部
７１    クッションブロック
７２    案内柱
８１    案内滑り筒
８２    位置決め筒
９１    摺動筒
９２    推圧筒
９１１  接続板
９１２  移動用穴
９３    限位係合ブロック
９３１  磁石柱
９３２  位置決め溝
９３３  位置決めブロック
９３４  摺動面
【要約】      （修正有）【課題】キャップが不要で、簡単な操作でペン芯の出没動作が可能で、外物の衝撃からペン芯を保護できるだけでなく、ペン油による外物への汚染も防止できる筆記用具を提供する。【解決手段】前筒１、ペン軸３および後筒蓋４を含み、前筒がペン軸の前部に位置され、ペン軸にネジ接続される押圧摺動型ペンであって、後筒蓋がペン軸の後部に係合接続され、前筒とペン軸の内部にペン芯が配置され、ペン軸内においてペン芯を軸方向に摺動させるように制御可能な押圧部材２を有する。押圧部材の操作により、ペン芯のペン軸内における軸方向摺動が可能となり、ペン芯の隠顕動作を可能とする押圧摺動型ペン。【選択図】図１【図１】
0006737449.tif 000002
【図２】
0006737449.tif 000003
【図３】
0006737449.tif 000004
【図４】
0006737449.tif 000005
【図５】
0006737449.tif 000006
【図６】
0006737449.tif 000007
【図７】
0006737449.tif 000008
【図８】
0006737449.tif 000009
【図９】
0006737449.tif 000010
【図１０】
0006737449.tif 000011